(57)【要約】【課題】  ラインプリンタで表形式のレシートを印刷するために、グラフィックスと文字列を重ね合わせた画像を作成することが面倒であり、それを行うとデータ量が増えてスループットが落ちてしまう。罫線文字を使用して表を作成する場合には、デザインに制約がある。【解決手段】  罫線等の表を構成する要素をグラフィックスとしてプリンタに予め登録しておき、そのグラフィックスとテキストを重ねて印刷することにより、表形式のレシート印刷を行う。【選択図】  図２
2007054986.tif 000002
【特許請求の範囲】
【請求項１】
ホストコンピュータと通信可能に接続される印刷装置であって、
ウォーターマークを記憶する第一記憶部と、
前記ホストコンピュータから受信するテキストデータを保存する第二記憶部と、
前記テキストデータと前記ウォーターマークとを重ねて印刷することにより、印刷媒体に表を印刷する制御部と、を備えたことを特徴とする印刷装置。
【請求項２】
前記第一記憶部は、複数のウォーターマークを記憶し、
前記制御部は前記印刷媒体に複数のウォーターマークを印刷することを特徴とする請求項１に記載の印刷装置。
【請求項３】
前記制御部は、前記テキストデータの行数に応じて、前記テキストデータと前記ウォーターマークを重ねながら、上下方向に隣接するウォーターマークと印刷間隔０で前記ウォーターマークを1回以上繰り返し印刷することを特徴とする請求項１または２に記載の印刷装置。
【請求項４】
前記第一記憶部は、前記表の先頭行を構成する表開始画像を備えており、
前記制御部は、前記表の先頭行に表開始画像を印刷することを特徴とする請求項１〜３の何れか一項に記載の印刷装置。
【請求項５】
前記第一記憶部は、前記表の最終行を構成する表終了画像を備えており、
前記制御部は、前記表の最終行に表終了画像を印刷することを特徴とする請求項１〜４の何れか一項に記載の印刷装置。
【請求項６】
前記制御部は、前記表開始画像または前記表終了画像と上下方向に隣接するウォーターマークとを印刷間隔０で印刷することを特徴とする請求項４または５に記載の印刷装置。
【請求項７】
前記制御部は、前記テキストデータが所定行数印刷される毎に前記テキストデータとともに前記ウォーターマークを印刷することを特徴とする請求項１または２に記載の印刷装置。
【請求項８】
前記第一記憶部は、前記表の先頭行を構成する表開始画像を備えており、
前記制御部は、前記表の先頭行に表開始画像を印刷することを特徴とする請求項７に記載の印刷装置。
【請求項９】
前記第一記憶部は、前記表の最終行を構成する表終了画像を備えており、
前記制御部は、前記表の最終行に表終了画像を印刷することを特徴とする請求項７または８に記載の印刷装置。
【請求項１０】
前記制御部は、前記テキストデータの行数に応じて、前記テキストデータを複数行印刷し、前記複数行分まとめたウォーターマークを前記テキストデータとともに印刷することを特徴とする請求項１または２に記載の印刷装置。
【請求項１１】
前記ウォーターマークは、前記表の先頭行を構成する表開始画像及び前記表の最終行を構成する表終了画像を含むことを特徴とする請求項１０に記載の印刷装置。
【請求項１２】
前記ウォーターマーク、前記表開始画像及び前記表終了画像はそれぞれ表を構成する画像を含むことを特徴とする請求項１〜１０の何れか一項に記載の印刷装置。
【請求項１３】
前記表終了画像は、ウォーターマークに設定された画像であり、合計、小計、税金、お釣りなどの文字列およびそれらの金額をあらわす文字列と重ね合わせて印刷されることを特徴とする請求項１１に記載の印刷装置。
【請求項１４】
ホストコンピュータと通信可能に接続される印刷装置の制御方法であって、
前記ホストコンピュータから受信するテキストデータと、前記印刷装置内に記憶されたウォーターマークとを重ねて印刷することにより、印刷媒体に表を印刷することを特徴とする印刷装置の制御方法。
【請求項１５】
前記印刷媒体に複数のウォーターマークを印刷することにより表を印刷することを特徴とする請求項１４に記載の印刷装置の制御方法。
【請求項１６】
前記テキストデータの行数に応じて、前記テキストデータと前記ウォーターマークを重ねながら、上下方向に隣接するウォーターマークと印刷間隔０で前記ウォーターマークを1回以上繰り返し印刷することを特徴とする請求項１４または１５に記載の印刷装置の制御方法。
【請求項１７】
前記表の先頭行に表開始画像を印刷することを特徴とする請求項１４〜１６の何れか一項に記載の印刷装置の制御方法。
【請求項１８】
前記表の最終行に表終了画像を印刷することを特徴とする請求項１４〜１７の何れか一項に記載の印刷装置の制御方法。
【請求項１９】
前記表開始画像または前記表終了画像と上下方向に隣接するウォーターマークとを印刷間隔０で印刷することを特徴とする請求項１７または１８に記載の印刷装置の制御方法。
【請求項２０】
前記テキストデータが所定行数印刷される毎に前記テキストデータとともに前記ウォーターマークを印刷することを特徴とする請求項１４または１５に記載の印刷装置の制御方法。
【請求項２１】
前記表の先頭行に表開始画像を印刷することを特徴とする請求項２０に記載の印刷装置の制御方法。
【請求項２２】
前記表の最終行に表終了画像を印刷することを特徴とする請求項２０または２１に記載の印刷装置の制御方法。
【請求項２３】
前記テキストデータの行数に応じて、前記テキストデータを複数行印刷し、前記複数行分まとめたウォーターマークを前記テキストデータとともに印刷することを特徴とする請求項１４または１５に記載の印刷装置の制御方法。
【請求項２４】
前記ウォーターマークは、前記表の先頭行を構成する表開始画像及び前記表の最終行を構成する表終了画像を含むことを特徴とする請求項２３に記載の印刷装置の制御方法。
【請求項２５】
前記ウォーターマーク、前記表開始画像及び前記表終了画像はそれぞれ表を構成する画像を含むことを特徴とする請求項１４〜２４の何れか一項に記載の印刷装置の制御方法。
【請求項２６】
前記表終了画像は、ウォーターマークに設定された画像であり、合計、小計、税金、お釣りなどの文字列およびそれらの金額をあらわす文字列と重ね合わせて印刷されることを特徴とする請求項２４に記載の印刷装置の制御方法。
【発明の詳細な説明】
【技術分野】
【０００１】
本発明は、レシートにテキストデータ及び画像データを印刷する印刷装置及び印刷装置の制御方法に関する。
【背景技術】
【０００２】
従来、レストラン等で提示されるレシートは表形式のものが用いられている。このようなレシートを印刷するレシート印刷装置は、罫線を引く機能がないため、表形式の印刷結果を得るには、“−”，“「”，“」”，“｜”などの罫線を示す記号（テキストデータ）を印刷データに含めて印刷装置に送信し、改行量や文字ピッチを調整して印刷している。このようなプログラムを作成することは面倒な作業が必要であり、記号を用いるためデザイン構成にも制約があった。また、−、「、」、｜等の記号は文字列と同じ１行の領域を使用してしまうため、印刷領域に無駄が生じ、見た目もきれいに印刷することは困難である（特許文献１参照）。
【０００３】
さらに、罫線をビットマップデータで印刷する場合に、1行ずつ印刷していくライン印刷装置の機能では、ビットマップデータとテキストデータを重ねて印刷することができないので、ホストコンピュータ側で、ビットマップデータとテキストデータを重ね合わせたビットマップデータを作成する必要があり非常に面倒となっている。また、この方法では、印刷装置に搭載されているテキスト印刷機能を使用することができない。また、印刷装置への送信データがテキストデータに比べて非常に大きくなることから、大幅にデータ転送時間をとられてしまい印刷性能が低下する。
【０００４】
また、ページモードの機能を持つ印刷装置であれば、ページモードに移行して、ページ内に、表（ビットマップ）とテキストデータを重ねることが可能であるが、ページモード中で位置合わせすることは非常に面倒な作業となることがある。
【０００５】
【特許文献１】特開２００４−１３６３０号公報
【発明の開示】
【発明が解決しようとする課題】
【０００６】
上記問題点を解決すべく、本発明は、テキストデータとウォーターマークとを重ねて印刷することにより、印刷媒体に表を印刷することができる印刷装置及び印刷装置の制御方法を提供することを目的とする。
【課題を解決するための手段】
【０００７】
（１）  ホストコンピュータと通信可能に接続される印刷装置であって、
ウォーターマークを記憶する第一記憶部と、
前記ホストコンピュータから受信するテキストデータを保存する第二記憶部と、
前記テキストデータと前記ウォーターマークとを重ねて印刷することにより、印刷媒体に表を印刷する制御部と、を備えたことを特徴とする印刷装置。
（２）  前記第一記憶部は、複数のウォーターマークを記憶し、
前記制御部は前記印刷媒体に複数のウォーターマークを印刷することを特徴とする（１）に記載の印刷装置。
（３）  前記制御部は、前記テキストデータの行数に応じて、前記テキストデータと前記ウォーターマークを重ねながら、上下方向に隣接するウォーターマークと印刷間隔０で前記ウォーターマークを1回以上繰り返し印刷することを特徴とする（１）または（２）に記載の印刷装置。
（４）  前記第一記憶部は、前記表の先頭行を構成する表開始画像を備えており、
前記制御部は、前記表の先頭行に表開始画像を印刷することを特徴とする（１）〜（３）の何れか一項に記載の印刷装置。
（５）  前記第一記憶部は、前記表の最終行を構成する表終了画像を備えており、
前記制御部は、前記表の最終行に表終了画像を印刷することを特徴とする（１）〜（４）の何れか一項に記載の印刷装置。
（６）  前記制御部は、前記表開始画像または前記表終了画像と上下方向に隣接するウォーターマークとを印刷間隔０で印刷することを特徴とする（４）または（５）に記載の印刷装置。
（７）  前記制御部は、前記テキストデータが所定行数印刷される毎に前記テキストデータとともに前記ウォーターマークを印刷することを特徴とする（１）または（２）に記載の印刷装置。
（８）  前記第一記憶部は、前記表の先頭行を構成する表開始画像を備えており、
前記制御部は、前記表の先頭行に表開始画像を印刷することを特徴とする（７）に記載の印刷装置。
（９）  前記第一記憶部は、前記表の最終行を構成する表終了画像を備えており、
前記制御部は、前記表の最終行に表終了画像を印刷することを特徴とする（７）または（８）に記載の印刷装置。
（１０）  前記制御部は、前記テキストデータの行数に応じて、前記テキストデータを複数行印刷し、前記複数行分まとめたウォーターマークを前記テキストデータとともに印刷することを特徴とする（１）または（２）に記載の印刷装置。
（１１）  前記ウォーターマークは、前記表の先頭行を構成する表開始画像及び前記表の最終行を構成する表終了画像を含むことを特徴とする（１０）に記載の印刷装置。
（１２）  前記ウォーターマーク、前記表開始画像及び前記表終了画像はそれぞれ表を構成する画像を含むことを特徴とする（１）〜（１０）の何れか一項に記載の印刷装置。
（１３）  前記表終了画像は、ウォーターマークに設定された画像であり、合計、小計、税金、お釣りなどの文字列およびそれらの金額をあらわす文字列と重ね合わせて印刷されることを特徴とする（１１）に記載の印刷装置。
（１４）  ホストコンピュータと通信可能に接続される印刷装置の制御方法であって、
前記ホストコンピュータから受信するテキストデータと、前記印刷装置内に記憶されたウォーターマークとを重ねて印刷することにより、印刷媒体に表を印刷することを特徴とする印刷装置の制御方法。
（１５）  前記印刷媒体に複数のウォーターマークを印刷することにより表を印刷することを特徴とする（１４）に記載の印刷装置の制御方法。
（１６）  前記テキストデータの行数に応じて、前記テキストデータと前記ウォーターマークを重ねながら、上下方向に隣接するウォーターマークと印刷間隔０で前記ウォーターマークを1回以上繰り返し印刷することを特徴とする（１４）または（１５）に記載の印刷装置の制御方法。
（１７）  前記表の先頭行に表開始画像を印刷することを特徴とする（１４）〜（１６）の何れか一項に記載の印刷装置の制御方法。
（１８）  前記表の最終行に表終了画像を印刷することを特徴とする（１４）〜（１７）の何れか一項に記載の印刷装置の制御方法。
（１９）  前記表開始画像または前記表終了画像と上下方向に隣接するウォーターマークとを印刷間隔０で印刷することを特徴とする（１７）または（１８）に記載の印刷装置の制御方法。
（２０）  前記テキストデータが所定行数印刷される毎に前記テキストデータとともに前記ウォーターマークを印刷することを特徴とする（１４）または（１５）に記載の印刷装置の制御方法。
（２１）  前記表の先頭行に表開始画像を印刷することを特徴とする（２０）に記載の印刷装置の制御方法。
（２２）  前記表の最終行に表終了画像を印刷することを特徴とする（２０）または（２１）に記載の印刷装置の制御方法。
（２３）  前記テキストデータの行数に応じて、前記テキストデータを複数行印刷し、前記複数行分まとめたウォーターマークを前記テキストデータとともに印刷することを特徴とする（１４）または（１５）に記載の印刷装置の制御方法。
（２４）  前記ウォーターマークは、前記表の先頭行を構成する表開始画像及び前記表の最終行を構成する表終了画像を含むことを特徴とする（２３）に記載の印刷装置の制御方法。
（２５）  前記ウォーターマーク、前記表開始画像及び前記表終了画像はそれぞれ表を構成する画像を含むことを特徴とする（１４）〜（２４）の何れか一項に記載の印刷装置の制御方法。
（２６）  前記表終了画像は、ウォーターマークに設定された画像であり、合計、小計、税金、お釣りなどの文字列およびそれらの金額をあらわす文字列と重ね合わせて印刷されることを特徴とする（２４）に記載の印刷装置の制御方法。
【発明の効果】
【０００８】
本発明によれば、テキストデータとウォーターマークとを重ねて印刷することができるので、テキストデータ挿入行と同一行にウォーターマークを挿入して表形式の印刷出力を得ることができる。これにより、行の無駄がなくなり、デザイン的にも見やすい表を作成することが可能である。また、ホストコンピュータ側でテキストデータと画像データを重ね合わせた画像を作成する必要がなくなり、テキストデータを画像データに変換せずそのままホストコンピュータから印刷装置にデータを送信するので送信データ量を増加させることがない。
【０００９】
また、本発明によれば、ウォーターマークを複数設定することが可能である。従って、同一紙面上に、表以外にもテキストデータと画像データが重なるような部位があれば別途ウォーターマークとして設定することができ、印刷制御を簡単にすることができる。
【００１０】
また、本発明によれば、ウォーターマークを所定の行数だけ繰返し印刷することができるので、たとえ数千、数万行の印刷結果になったとしても印刷装置が利用するメモリ量も増大せずに正しく印刷することが可能である。
また、ウォーターマーク同士の間隔を０に設定しているので罫線形式のウォーターマークの場合には隙間なくウォーターマークを繰返し印刷するので、デザイン的にも美しい表を印刷することが可能である。
【００１１】
また、本発明によれば、先頭行に表開始画像を印刷し、最終行に表終了画像を印刷するように設定している。そのため、表開始画像及び表終了画像に様々な画像データを記憶させ、その組み合わせを様々に変更することによって容易に表のイメージを変更することが可能である。
【００１２】
また、本発明によれば、一つの表をそのままウォーターマークに設定することができる。従って、表の行数が予め設定されているような場合には特定行の表形式のウォーターマークを設定しておけば、表開始画像や表終了画像を設定する必要がないので、印刷制御が比較的簡単になる。
【発明を実施するための最良の形態】
【００１３】
以下、添付図面を参照して、本発明に係る印刷装置の実施形態を詳細に説明する。
【００１４】
（印刷装置、ＰＯＳ端末装置及びホストコンピュータ）
図１に示すように、本実施形態における印刷装置５０は、スーパーやコンビニエンス・ストア等の店舗にて利用され、オペレータによって入力された商品販売に関する入力情報に基づいてレシートを発行するＰＯＳシステムにおいて、ＰＯＳアプリケーション４１ａを備えたＰＯＳ端末装置４０において生成された決済情報印刷データを受信してレシート上に印刷するものである。また、印刷装置５０は、予め記憶している設定値に基づいて、ＰＯＳ端末装置４０から受信した決済情報印刷データに画像データを付加して印刷するレシート装飾処理（詳細は後述する）を行うことが可能であり、レシート装飾処理に関する設定値の設定は、印刷装置５０と接続して用いるホストコンピュータ１０によって行う。
【００１５】
ＰＯＳ端末装置４０は、印刷装置５０とインターフェースを介して有線又は無線で接続され、キーボード４３による入力またはバーコードリーダ４４によるバーコードの読取りによって商品に関する入力情報を取得する。また、カードリーダ４５によって顧客６０のクレジットカードや会員カードを読み取り、クレジット清算に関する情報や会員番号等の会員に関する情報を取得する。さらに、後述するＰＯＳサーバ３０から送信された商品データを元に生成した商品情報を表示するディスプレイ４２を有し、顧客６０に対して購入商品の金額等を掲示する。これらの制御は、ＰＯＳ端末装置４０内のＰＯＳアプリケーション４１ａによって行われ、ＰＯＳアプリケーション４１ａは、ＰＯＳサーバ３０から送信される商品データや入力情報に基づいてレシート上に印刷するための決済情報印刷データを生成し、印刷装置５０へ印刷装置ドライバ４１ｂを経由して送信する。
【００１６】
ＰＯＳサーバ３０は、制御装置（ＣＰＵ３１）の他、ＲＯＭ３２やＲＡＭ３３等のメモリを有し、ＲＯＭ３２内に記憶された制御プログラムにしたがって、ＲＡＭ３３内のバッファ３９等に記憶された情報の処理を行う。特にＲＡＭ３３内には商品コードブロック３５、商品名ブロック３６、金額ブロック３７、在庫ブロック３８等からなる商品マスタを有しており、ＣＰＵ３１は、ＰＯＳ端末装置４０から送信された入力情報に基づいて、商品マスタから商品コード、商品名、金額に関する情報を抽出し、レシートＲへの印刷およびＰＯＳ端末装置４０のディスプレイ４２の表示に用いる商品データを生成する。
【００１７】
一方印刷装置５０は、レシート印刷装置であり、ＰＯＳ端末装置４０から各種制御コマンドや決済情報印刷データを受信するデータ受信部１００の他、搬送部１１０、印刷部１２０、切断部１３０、当該搬送部１１０および印刷部１２０および切断部１３０を駆動する駆動部１４０、印刷装置５０全体を制御する制御部２００等を備えている。制御部２００は、レシートＲに付加して印刷するための画像データや、画像データに関する各種設定値（図４参照）を記憶するメモリ（ＲＡＭ２３０，図２参照）を備えており、当該各種設定値に従って、画像データをレシートＲに付加するレシート装飾処理（詳細は後述する）の制御を行う。
【００１８】
ホストコンピュータ１０は、例えばパーソナルコンピュータであり、レシートＲに付加して印刷するための画像データの編集や印刷装置５０への画像データの登録、並びに上記したレシート装飾処理に関する設定値の設定や取得、印刷装置５０のテスト印刷を行う印刷制御プログラム２４を備え、ユーザは、マウス１２やキーボード１１を含む入力手段およびディスプレイ１３を介して、印刷装置５０のレシート装飾処理に関する設定値の設定やテスト印刷を行うことができる。また、ホストコンピュータ１０と印刷装置５０とはインターフェースを介して有線又は無線で接続されている。なお、ホストコンピュータ１０は、画像データの編集や登録、およびレシート装飾処理に関する設定値の設定や取得、並びにテスト印刷時に、印刷装置５０と接続して用いられるものであり、印刷装置５０と常時接続されるものではない。
【００１９】
ここで、図２を参照してホストコンピュータ１０および印刷装置５０の制御構成について詳細に説明する。
同図に示すように、ホストコンピュータ１０は、印刷装置５０とデータの送受信を行うためのインターフェース２１の他、ＣＰＵ２５、ＲＯＭ２６、ＲＡＭ２７、キーボード１１、マウス１２、ディスプレイ１３、ハードディスク２２を備え、これらはシステムバス２８を介して互いに接続されている。
【００２０】
ハードディスク２２は、オペレーティング・システム（以下ＯＳと記載）および印刷装置５０に関する設定やテスト印刷を行うための印刷制御プラグラム２４に加え、他のアプリケーションプログラムを記憶しており、また、印刷制御プログラム２４および他のアプリケーションプログラムの環境設定や起動時の表示に関する設定ファイル等を記憶している。また、ＯＳ２３は、マウス１２およびキーボード１１からの入力の受付やディスプレイ１３への表示等、それぞれのアプリケーションに共通する処理を提供するものであり、ホストコンピュータ１０を動作させるための基本となるソフトウェアである。
【００２１】
ＣＰＵ２５は、ＯＳ２３のプログラムや印刷制御プログラム２４、並びに他のアプリケーションプログラムに基づいて各種演算処理を行いホストコンピュータ１０の制御を行う。ＲＯＭ２６は、キーボード１１、ディスプレイ１３、ハードディスク２２といったデバイスをコントロールするプログラムであるＢＩＯＳ等が記憶されており、ＯＳ２３はＢＩＯＳに命令を出すことでこれらのデバイスを制御する。ＲＡＭ２７は、ハードディスク２２や他の記憶媒体（ＣＤ―ＲＯＭやＣＤ−Ｒ等）から一時的に読み出されたＯＳ２３のプログラムおよびアプリケーションプログラムが、ＣＰＵ２５の制御の下に実行される作業領域として使用される。
【００２２】
一方、印刷装置５０は、ＰＯＳ端末装置４０やホストコンピュータ１０とのデータの送受信を行うインターフェース５１と、レシート送りモータ１１１を有し、レシートＲの搬送を行う搬送部１１０と、印刷ヘッド１２１を有し、レシートＲの搬送に同期してレシートＲ上に各種印刷データの印刷を行う印刷部１２０を備えている。さらに、印刷装置５０は、レシートカッタ１３２およびこれを駆動するカッタモータ１３１を有し、印刷済みレシートＲの後端を切断する切断部１３０と、送りモータドライバ１４１、ヘッドドライバ１４２およびカッタモータドライバ１４３を有し、各部を駆動する駆動部１４０と、各部と接続され、印刷装置５０全体を制御する制御部２００と、によって構成されている。
【００２３】
制御部２００は、ＣＰＵ２１０、ＲＯＭ２２０、ＲＡＭ２３０および入出力制御装置（以下、「ＩＯＣ：Input  Output  Controller」という）２４０を備え、互いにシステムバス２５０により接続されている。ＲＯＭ２２０は、印刷や後述するレシート装飾処理を含む制御をＣＰＵ２１０が実行するための制御プログラムを記憶する制御プログラムブロック２２１と、受信した印刷データに基づく印刷や後述するレシート装飾処理のための制御データや各種テーブル等を記憶する制御データブロック２２２と、を有している。
【００２４】
ＲＡＭ２３０は、フラグ等として使用される各種ワークエリアブロック２３１の他、データ受信部１００（図１参照）によって受信した印刷データを一時的に記憶する受信バッファ２３２（特許請求の範囲中の「第二記憶部」）、印刷部１２０により印刷可能な状態に展開したデータを記憶するプリントバッファ２３３、を備えている。
【００２５】
また、ＲＡＭ２３０は、レシートに印刷する画像（ＮＶグラフィックス）を予めプリンタに登録しておく画像データブロック２３４を備えている。画像データブロック２３４に画像を予め登録しておけば、画像印刷時に画像をプリンタ５０に送信する必要がなくなるため、インターフェース５１の通信速度が遅い場合でも、高速で画像を印刷することができる。 また、画像データブロック２３４に登録された画像は、ホストコンピュータ１０からの指示に応じて以下に説明する各種ロゴ（トップロゴ、ボトムロゴ、ウォーターマーク、キーワードロゴ）に設定することが可能である。
【００２６】
また、ＲＡＭ２３０は、レシートＲの先頭に付加する画像データすなわちトップロゴＴＬに関する設定値を記憶するトップロゴブロック２３５、レシートＲの末尾に付加する画像データすなわちボトムロゴＢＬに関する設定値を記憶するボトムロゴブロック２３６、レシートＲにウォーターマークとして印刷するウォーターマークＷＭに関する設定値を記憶するウォーターマークブロック２３７（特許請求の範囲中の「第一記憶部」）、特定のキーワード文字列の代わりに画像を印刷するキーワードロゴに関する設定値を記憶するキーワードロゴブロック２３８を有している。ＣＰＵ２１０は、これらの各部録に記憶された設定値に基づいて受信した印刷データの展開処理を行う。
【００２７】
また、ＲＡＭ２３０は電源が切断されても記憶したデータを保持しておくように常にバックアップされている。なお、トップロゴブロック２３５、ボトムロゴブロック２３６、ウォーターマークブロック２３７、キーワードロゴブロック２３８は、不揮発性のメモリを用いてもよい。
【００２８】
ＩＯＣ２４０には、ＣＰＵ２１０の機能を補うと共に各種周辺回路とのインターフェース信号を取り扱うための論理回路が、ゲートアレイやカスタムＬＳＩなどにより構成されて組み込まれている。これにより、ＩＯＣ２４０は、ＰＯＳ端末装置４０およびホストコンピュータ１０から受信した印刷データや制御データをそのまま或いは加工してシステムバス２５０に取り込むと共に、ＣＰＵ２１０と連動して、ＣＰＵ２１０からシステムバス２５０に出力されたデータや制御信号を、そのまま或いは加工して印刷部１２０等各部に出力する。
【００２９】
そして、ＣＰＵ２１０は、上記の構成により、ＲＯＭ２２０内の制御プログラムに従って、ＩＯＣ２４０を介して印刷装置５０内の各部から各種信号・データを入力する。また、入力した各種信号・データに基づいてＲＡＭ２３０内の各種データを処理し、ＩＯＣ２４０を介して印刷装置５０内の各部に各種信号・データを出力することにより、印刷処理の制御を行う。
【００３０】
（第１実施形態）
次に、図３〜図７を参照して、本発明に係る印刷装置５０が備えたレシート装飾機能を使って、レシートＲにテキストデータ及び画像データを印刷する場合の第１実施形態を説明する。
本実施形態では、２種類のウォーターマークを使って表をレシートに作成する場合を説明する。
まず、レシート装飾処理に用いる画像データに関する設定値について図３を参照して説明する。図３（ａ）はレシート装飾処理に必要な設定要素を印刷画像ごとにまとめた表である。この表では、キーワードロゴに関する設定値の説明は、省略してある。
【００３１】
トップロゴブロック２３５に記憶している設定値には、トップロゴＴＬとして印刷する画像データを識別するためのＩＤと、トップロゴＴＬの位置揃え（左よせ、中央よせ、右よせの何れかに設定）に加えて、受信した決済情報印刷データの情報とトップロゴＴＬの情報が重複することを防ぐため、受信した決済情報印刷データの不要部分を削除するために設定する、受信した決済情報印刷データの先頭行からの削除行数、が含まれている（図３（ｂ）参照）。
【００３２】
また、ボトムロゴブロック２３６に記憶している設定値には、ボトムロゴＢＬとして印刷する画像データを識別するためのＩＤと、ボトムロゴＢＬの位置揃えが含まれている（図３（ｃ）参照）。
【００３３】
また、ウォーターマークブロック２３７に記憶している設定値には、ウォーターマークを特定するための識別子、ウォーターマークとして印刷する画像データを識別するためのＩＤと、レシートＲ先端から先頭のウォーターマークの印刷位置までの長さとなる上余白Ｒ１と、ウォーターマーク間の長さとなる印刷間隔Ｒ２が含まれている（図３（ｄ）参照）。
本実施形態では、ウォーターマークとして、ウォーターマークＷＭ１とウォーターマークＷＭ２の２種類のウォーターマークが設定されている。それぞれのウォーターマークは、識別子によって区別される。
【００３４】
なお、本実施形態では、表印刷を実施するにあたり、印刷されるレシートＲ内の表の先頭行にくる表開始画像としてトップロゴ、ボトムロゴ等のロゴ設定されていない画像ＮＶ（ＮＶグラフィックス）を用い、表の中央の罫線部分を構成する画像としてウォーターマークＷＭ１を用い、表の最終行にくる表終了画像としてウォーターマークＷＭ２を用いている。これらについては、後ほど詳述する。なお、先頭行にくる画像データとしてトップロゴＴＬを、そして表の最終行にくる画像データとしてボトムロゴＢＬを用いることも可能である。また、キーワードロゴを用いて、表開始画像及び表終了画像を構成するようにしてもよい。
【００３５】
次に、レシート装飾処理に用いる画像データの登録および設定値の設定について図４を参照して説明する。
【００３６】
図４は、印刷制御プログラム２４の詳細構成を示すブロック図である。
印刷装置５０への画像データの登録及び設定値の設定は、ホストコンピュータ１０内の印刷制御プログラム２４により行われる。
本実施形態では、印刷制御プログラム２４は、図４に示すように、プリンタ５０との接続設定を行うゲートウェイ（Gateway）６０と、印刷装置５０に対し画像データを登録するグラフィックスレジスター（GR: Graphics Register）７０と、印刷装置５０に登録された画像に各種設定値を設定するレシートデザイナー（RD： Receipt Designer）８０の３つのアプリケーションにより構成されている。
【００３７】
ゲートウェイ６０は、印刷装置５０に対する接続を確立する接続設定を行い、グラフィックスレジスター７０及びレシートデザイナー８０を印刷装置５０と通信可能にするためのアプリケーションである。ゲートウェイ６０は、接続される印刷装置の種類、ポート種類、ポート名、伝送レート、パリティ、ストップビット、フロー制御、ビット長との各種設定条件を設定して、グラフィックスレジスター７０及びレシートデザイナー８０が印刷装置５０と通信可能な状態とする。
【００３８】
グラフィックスレジスター７０は、印刷装置５０に対し画像データを登録するための各種機能を備えた画像登録アプリケーション（画像登録手段、画像登録プログラム）である。グラフィックスレジスター７０は、ユーザインターフェースとしてのウィンドウを備えている。ユーザは、このウィンドウ内の表示を切り替えていくことにより、各種設定登録を行う。
【００３９】
レシートデザイナー８０は、印刷装置５０に登録された画像に各種設定値を設定してロゴ設定を行うための各種機能を備えた設定値登録アプリケーション（設定値登録手段、設定値登録プログラム）である。ここで、設定値とは、画像データの種類（トップ、ボトム、ウォーターマーク、キーワードロゴ）と、画像データの種類に付随する詳細設定を指す。すなわち、グラフィックスレジスター７０によって印刷装置５０に画像を登録し、そしてレシートデザイナー８０によって画像の種類について詳細に設定してやることにより、ユーザが望む位置に自動的に所望の画像を割り当て印刷装置５０に印刷させるようにすることができる。
【００４０】
図５は、ホストコンピュータ１０内の記憶手段に格納された画像データを示す表であり、図６は、この画像データを用いて作成されたレシートイメージとホストコンピュータ１０から送信された印刷データを示す模式図である。
【００４１】
本実施形態では、図５に示すように、ＩＤ「２０２０」の画像がトップロゴＴＬとして、表の先頭部分を形成するＩＤ「２０２１」の画像がロゴ設定無しの画像ＮＶとして、表の中間の罫線部分を形成するＩＤ「２０２２」の画像がウォーターマークＷＭ１として、表の最終部分を形成するＩＤ「２０２３」の画像がウォーターマークＷＭ２として、そしてＩＤ「２０２４」の画像がボトムロゴＢＬとして印刷装置５０に記憶設定されている。表を形成するにあたっては、ＩＤ「２０２１」の画像が表開始画像として、ＩＤ「２０２２」の画像が表の中央部分の罫線作成を行う画像として、そしてＩＤ「２０２３」の画像が表終了画像として用いられ、これらが組み合わされて図６に示すような表を備えたレシートＲが出力される。
【００４２】
図６を参照して具体的に説明すると、レシートＲには、レシートＲの上部にトップロゴＴＬとして設定されたＩＤ「２０２０」の画像データが「中央よせ」の状態で印刷されている。本実施形態では、トップロゴＴＬの設定値において削除行数が「３」に設定されている。したがって、印刷データの先頭行（１行目）から３行目が削除行とみなされホストコンピュータ１０から送信された印刷データの印刷が行われない。トップロゴＴＬの印刷された後には、ホストコンピュータ１０から送信された印刷データに基づきレシートＲの発行年月日（４行目）及びレシート発行番号（５行目）が印刷される。
【００４３】
本実施形態では、５行目が印刷された後に、品目が表形式で印刷されるように構成されている。
表先頭画像は、ＩＤ「２０２１」に設定された画像ＮＶにより構成される。この画像ＮＶは、ホストコンピュータ１０から送信される画像ＮＶの印刷指示に応じて印刷される。画像ＮＶが印刷された後の行には、ウォーターマークＷＭ１として設定されたＩＤ「２０２２」の画像データがレシートＲにウォーターマークとして「中央よせ」の位置で印刷データの行数分繰り返し印刷されている。ウォーターマークＷＭ１は、印刷データのテキストと同一行に印刷が可能であり、本実施形態では、１行分の印刷データにつき一つのウォーターマークが割り当てられて、同一行に重ねて印刷される。具体的には、先頭のウォーターマークＷＭ１は、設定値に基づきレシートＲ先端から８０ｄｏｔの位置に印刷され、ウォーターマークＷＭ１の間隔は、設定値に基づき０ｄｏｔの長さに設定されている。なお、本実施形態ではウォーターマークＷＭ１の上余白Ｒ１および印刷間隔Ｒ２の指定としてドット単位を想定しているが、これに限るものではない。例えばインチおよびミリ単位で表してもよい。
【００４４】
品目に対応する印刷データが印刷された後の行には、ウォーターマークＷＭ２が合計に対応する印刷データとともに印刷されている。これは、全品目に対応する印刷データの印刷後、ホストコンピュータ１０から送信されるウォーターマークＷＭ１印刷無効命令によって、ウォーターマークＷＭ１の繰り返し印刷が終了し、続いて送信されるウォーターマークＷＭ２有効命令によって、ウォーターマークＷＭ２の印刷が有効となり実行され、その後合計金額の印刷データによって、合計金額文字列と重ね合わせてウォーターマークＷＭ２が印刷されることにより実現される。また、ウォーターマークＷＭ２は、合計金額印刷後、ウォーターマークＷＭ２印刷無効指示によって、繰り返し印刷を終了する。その後の行には、合計の下の１２行目以下のデータが印刷され、その後、ボトムロゴＢＬとして設定されたＩＤ「２０２４」の画像データがレシートＲに「中央よせ」の位置で印刷される。なお、ウォーターマークＷＭ２の画像を複数行分の画像にしておき、合計の下の１２行目以下のデータをウォーターマークＷＭ２とともに印刷するようにしてもよい。
また、ウォーターマークＷＭ２の終了は、繰り返し回数を予め１に設定しておくことによって実現してもよい。
【００４５】
次に、図６のレシートＲの印刷フローを図７に示すフローチャートを参照して説明する。
【００４６】
まず、印刷装置５０は、ホストコンピュータ１０から印刷データを順次受信する。受信した印刷データは、受信バッファ２３２を介してプリントバッファ２３３に保存される（ステップＳ１）。
【００４７】
ここで、印刷装置５０には、トップロゴが設定されているので、トップロゴブロック２３５に設定された設定値に応じて、印刷データを所定行（図６では３行）削除して、トップロゴとして設定されたＩＤ「２０２０」に対応するトップロゴＴＬを印刷する（ステップＳ２）。
【００４８】
トップロゴの印刷を終えると、印刷装置５０は、４，５行目に対応する印刷データを印刷し、その後５行目の後に印刷データとともに送られた画像ＮＶ印刷指示に応じて、画像ＮＶを印刷する（ステップＳ３）。この画像ＮＶは、表先頭画像として表の先頭部分を構成する。
【００４９】
次に、印刷装置５０は、６行目以下の印刷データの印刷を行う。このとき、ウォーターマークＷＭ１がレシートの先頭行から６行目に対応して印刷を開始するように設定値が構成されているため、６行目に合わせてウォーターマークＷＭ１の印刷が行われる。したがって、ウォーターマークＷＭ１の印刷と同時にプリントバッファ２３３に記憶されたテキストデータもウォーターマークＷＭ１に重ねて印刷される（ステップＳ４）。これにより、画像データとテキストデータを同一行に重ねて印刷することができる。
【００５０】
ここで、ウォーターマークＷＭ１は、間隔０で印刷が行われるように印刷間隔が設定されている。したがってウォーターマークＷＭ１が連続的に印刷されることにより、罫線同士がつながった状態で印刷され表形式の印刷がレシートＲ上に形成される。
【００５１】
６行目以下の印刷データは、品目と金額に対応する最後の行の印刷データを印刷するまで継続される（ステップＳ５）。最後の行の印刷データを印刷し終わると（ステップＳ５：Ｙｅｓ）、印刷装置５０は、ホストコンピュータ１０から受信したウォーターマークＷＭ１無効指示に応じて、ウォーターマークＷＭ１の印刷を中止する（ステップＳ６）。
【００５２】
次に、ウォーターマークＷＭ１に続いてホストコンピュータ１０から受信するウォーターマークＷＭ２有効指示に応じて、ウォーターマークＷＭ２が有効となる（ステップＳ７）。
【００５３】
この状態において、印刷装置５０は、受信した合計金額に相当する印刷データの行（ここでは１１行目の印刷データ）と、同一行にウォーターマークＷＭ２を印刷する（ステップＳ８）。ウォーターマークＷＭ２は、ここでは表終了を意味する形状を備えており、ウォーターマークＷＭ２が印刷されることにより表が完結する。すなわち、ウォーターマークＷＭ２は、表終了画像を構成している。
【００５４】
合計金額に対応する行の印刷が終了すると、印刷装置５０は、ホストコンピュータ１０からウォーターマークＷＭ２無効指示に応じて、ウォーターマークＷＭ２を無効にする（ステップＳ９）。
【００５５】
そして、ステップＳ１０で、印刷装置５０は、合計に関連した印刷データ（消費税、預かり金、お釣のデータ）を印刷し、これらのデータの印刷が終了すると、ボトムロゴブロック２３６に記憶されたボトムロゴＢＬを印刷する。ボトムロゴブロック２３６にはＩＤ「２０２１」、位置揃え「中央よせ」が設定値として記憶されている。従って、印刷装置５０は、ＩＤ「２０２１」に対応するボトムロゴＢＬをレシートＲの幅方向中央に印刷される。以上により、印刷が終了し、その後は、カットコマンドによりロール紙がカットされてレシートＲが出力される。
【００５６】
なお、本実施形態においてはウォーターマークとしてウォーターマークＷＭ１及びウォーターマークＷＭ２の画像データを設定したが、繰返してウォーターマークを印刷した結果、表形式の印刷結果が得られるものであればこれらの画像データに限られるものではない。
【００５７】
以上、説明したように、本実施形態の印刷装置５０は、画像ＮＶとウォーターマークＷＭ１，ＷＭ２との組み合わせで表の上部と下部が中間部分と異なるデザインである可変行数の表形式の印刷結果を得、それらにトップロゴＴＬとボトムロゴＢＬを組み合わせて印刷することでレシートＲを出力するように構成されている。すなわちユーザはホストコンピュータ１０に予め記憶された複数の画像種類の中から、トップロゴＴＬとウォーターマークＷＭとボトムロゴＢＬにそれぞれ画像を設定し、印刷する表形式のスタイルに応じてウォーターマークＷＭ１，ＷＭ２の有効・無効を切り替えるだけで、表形式の印刷結果を得ることが可能である。従って、ホストコンピュータ１０側でテキストデータと画像データを重ね合わせたデータを作成するといった手間をかける必要がないので、印刷時の処理が非常に簡単になる。
【００５８】
また、本実施形態の印刷装置５０は、ウォーターマークＷＭ１，ＷＭ２を設定することでテキストデータ挿入行と同一行に画像データを挿入することができるので、−、「、」、｜等のテキストデータに１行分使って表を作成していた場合とくらべ行の無駄がなくなり、デザイン的にも見やすい表を作成することが可能である。
【００５９】
さらに、本実施形態の印刷装置５０は、表開始画像及び表終了画像に様々な画像データを記憶させれば、その組み合わせを様々に変更することによって容易に表のイメージを変更することが可能である。
【００６０】
なお、上記説明では、ウォーターマークＷＭ２には、合計に対応した印刷データのみを重ねて印刷するように説明したが、合計に関連したその他の印刷データ（消費税、預かり金、お釣のデータ）をウォーターマークＷＭ２に重ねて印刷するように構成してもよい。
【００６１】
なお、上記説明では、表開始画像に画像ＮＶを使用したが、表のタイトル文字列を含まない画像をウォーターマークとして設定しておき、表のタイトル文字列を送信することによって、ウォーターマークと重ねて印刷するように構成してもよい。
【００６２】
（第２実施形態）
次に、図８，９を参照して、本発明に係る印刷装置５０が備えたレシート装飾機能を使って、レシートＲにテキストデータ及び画像データを印刷する場合の第２実施形態を説明する。
本実施形態では、第１実施形態と同様に２種類のウォーターマークを使って表をレシートに作成する場合を説明する。
【００６３】
図８は、ホストコンピュータ１０内の記憶手段に格納された画像データを示す表であり、図９は、この画像データを用いて作成されたレシートイメージとホストコンピュータ１０から送信された印刷データを示す模式図である。
【００６４】
本実施形態では、図８に示すように、ＩＤ「２０２０」の画像がトップロゴＴＬとして、表の部分を網掛け表現により形成するＩＤ「２０２２」の画像がウォーターマークＷＭ１として、そしてＩＤ「２０２４」の画像がボトムロゴＢＬとして印刷装置５０に記憶設定されている。表を形成するにあたっては、ＩＤ「２０２２」の画像が表の部分の罫線作成を行う画像として用いられ、図９に示すような表を備えたレシートＲが出力される。
【００６５】
図９を参照して具体的に説明すると、レシートＲには、レシートＲの上部にトップロゴＴＬとして設定されたＩＤ「２０２０」の画像データが「中央よせ」の状態で印刷されている。本実施形態では、トップロゴＴＬの設定値において削除行数が「３」に設定されている。したがって、印刷データの先頭行（１行目）から３行目が削除行とみなされホストコンピュータ１０から送信された印刷データの印刷が行われない。トップロゴＴＬの印刷された後には、ホストコンピュータ１０から送信された印刷データに基づきレシートＲの発行年月日（４行目）及びレシート発行番号（５行目）が印刷される。
【００６６】
本実施形態では、５行目が印刷された後に、品目が表形式で印刷されるように構成されている。
品目の最初の行を印刷するときには、ウォーターマークＷＭ１として設定されたＩＤ「２０２２」の画像データがレシートＲにウォーターマークとして「中央よせ」の位置で印刷され、その後印刷データの行数に応じて一行おき（間隔Ｒ２毎）に繰り返し印刷されている。ウォーターマークＷＭ１は、印刷データのテキストと同一行に印刷が可能であり、本実施形態では、印刷データ一行置き毎に一つのウォーターマークが割り当てられて、同一行に重ねて印刷される。
【００６７】
具体的には、先頭のウォーターマークＷＭ１は、設定値に基づきレシートＲ先端から８０ｄｏｔ（Ｒ１）の位置に印刷され、ウォーターマークＷＭ１の間隔は、設定値に基づき３０ｄｏｔ（１行の高さ分）の長さに設定されている。なお、本実施形態ではウォーターマークＷＭ１の上余白Ｒ１および印刷間隔Ｒ２の指定としてドット単位を想定しているが、これに限るものではない。例えばインチおよびミリ単位で表してもよい。
【００６８】
品目に対応する印刷データが印刷された後の行には、合計、内消費税、お預かり、お釣りが印刷されている。ウォーターマークＷＭ１は、お釣りの行を印刷後、ウォーターマークＷＭ１印刷無効指示によって、繰り返し印刷を終了する。その後、ボトムロゴＢＬとして設定されたＩＤ「２０２４」の画像データがレシートＲに「中央よせ」の位置で印刷される。
【００６９】
本実施形態では、罫線ではなくて、各ＩＤ「２０２２」の画像が網掛けにより表現され、印刷データ一行置きに網掛けを行うことにより、表をレシート上に印刷するように構成されている。このように、罫線を使うのではなく、ウォーターマークＷＭ１を用いることにより、網掛けにより表を構成するようにすることもできる。
【００７０】
（第３実施形態）
次に図１０及び図１１を用いてレシートＲにテキストデータ及び画像データを印刷する場合の第３実施形態について説明する。
本実施形態では、１種類のウォーターマークのみを使って表をレシートに作成する場合を説明する。
【００７１】
図１０は、ホストコンピュータ１０内の記憶手段に格納された画像データを示す表であり、図１１は、この画像データを用いて作成されたレシートイメージとホストコンピュータ１０から送信された印刷データを示す模式図である。
【００７２】
本実施形態では、図１０に示すように、ＩＤ「２０２０」の画像がトップロゴＴＬとして、表全体を罫線により形成するＩＤ「２０２２」の画像がウォーターマークＷＭ３として、そしてＩＤ「２０２４」の画像がボトムロゴＢＬとして印刷装置５０に記憶設定されている。これらが組み合わされて図１１に示すような表を備えたレシートＲが出力される。
【００７３】
図１１を参照して具体的に説明すると、レシートＲには、レシートＲの上部にトップロゴＴＬとして設定されたＩＤ「２０２０」の画像データが「中央よせ」の状態で印刷されている。本実施形態では、トップロゴＴＬの設定値において削除行数が「３」に設定されている。したがって、印刷データの先頭行（１行目）から３行目が削除行とみなされホストコンピュータ１０から送信された印刷データの印刷が行われない。トップロゴＴＬの印刷された後には、ホストコンピュータ１０から送信された印刷データに基づきレシートＲの発行年月日（４行目）及びレシート発行番号（５行目）が印刷される。
【００７４】
本実施形態では、５行目が印刷された後に、品目が表形式で印刷されるように構成されている。
品目などの表に含まれるテキストを印刷するときには、ウォーターマークＷＭ３として設定されたＩＤ「２０２２」の画像データがレシートＲにウォーターマークとして「中央よせ」の位置で印刷される。ウォーターマークＷＭ３は、一つで表中間部分と表の最終部分を構成するような画像となっており、品目の最大数が限定されており、最大数に満たない場合は、空白行や品目が無いことを示すデータを印刷するような場合には、このウォーターマークＷＭ３を用いることにより、容易に印刷データのテキストと同一行に罫線画像を印刷して表を構成することができる。
【００７５】
具体的には、先頭のウォーターマークＷＭ１は、設定値に基づきレシートＲ先端から８０ｄｏｔの位置に印刷され、ウォーターマークＷＭ１の間隔は、設定値に基づき１０００ｄｏｔ（同一レシートに複数回表を印刷させないため、十分大きな間隔）の長さに設定されている。なお、本実施形態ではウォーターマークＷＭ１の上余白Ｒ１および印刷間隔Ｒ２の指定としてドット単位を想定しているが、これに限るものではない。例えばインチおよびミリ単位で表してもよい。
また、ウォーターマークの繰り返し回数を1回と指定するか、ウォーターマーク印刷無効命令を行えば、間隔はどのような値であっても良い。 
【００７６】
品目に対応する印刷データが印刷し、そして合計、内消費税、お預かり、お釣りに対応する印刷データが印刷されると、ホストコンピュータ１０から送信されるウォーターマークＷＭ３印刷無効指示によって、繰り返し印刷を終了する。その後、ボトムロゴＢＬとして設定されたＩＤ「２０２４」の画像データがレシートＲに「中央よせ」の位置で印刷される。
【００７７】
本実施形態では、一つのウォーターマークのみを用いて表を構成する。上述したように、品目の数が予め限定されており、最大数に満たない場合は、その分の空白行を印刷するような場合には、ウォーターマークＷＭ３のみを用いることにより、簡易な処理で表を構成するようにすることもできる。
【図面の簡単な説明】
【００７８】
【図１】本発明に係る実施形態に係るＰＯＳシステムの構成図である。
【図２】ホストコンピュータおよび印刷装置の制御ブロック図である。
【図３】本発明に係る第１実施形態の印刷装置が記憶する設定値を示す図である。
【図４】本発明に係る印刷制御プログラムの構成を示す模式図である。
【図５】本発明に係る第１実施形態の画像データとＩＤの対応表である。
【図６】本発明に係る第１実施形態のレシート出力と印刷データとの関係を示す図である。
【図７】本発明に係る第１実施形態のレシートイメージ印刷を示すフローチャートである。
【図８】本発明に係る第２実施形態の画像データとＩＤの対応表である。
【図９】本発明に係る第２実施形態のレシート出力と印刷データとの関係を示す図である。
【図１０】本発明に係る第３実施形態の画像データとＩＤの対応表である。
【図１１】本発明に係る第３実施形態のレシート出力と印刷データとの関係を示す図である。
【符号の説明】
【００７９】
１０・・・ホストコンピュータ、５０・・・印刷装置、１４・・・印刷制御プログラム、２３５・・・トップロゴブロック、２３６・・・ボトムロゴブロック、２３７・・・ウォーターマークブロック、２３８・・・キーワードロゴ１ブロック、２３９・・・キーワードロゴ２ブロック、Ｒ・・・レシート、ＴＬ・・・トップロゴ、ＷＭ・・・ウォーターマーク、ＢＬ・・・ボトムロゴ
【図１】
2007054986.tif 000003
【図２】
2007054986.tif 000004
【図３】
2007054986.tif 000005
【図４】
2007054986.tif 000006
【図５】
2007054986.tif 000007
【図６】
2007054986.tif 000008
【図７】
2007054986.tif 000009
【図８】
2007054986.tif 000010
【図９】
2007054986.tif 000011
【図１０】
2007054986.tif 000012
【図１１】
2007054986.tif 000013